(57)【要約】【課題】  顧客（ユーザ）の提示する曖昧な要求により良く適合できる住宅設備デザインプランを提案できるようにする。【解決手段】  ユーザ宅のトイレ室内空間のサイズ情報、ドア位置情報、ベネフィット情報、家族構成情報を提案システムに入力する（ステップＳ１１１）。システム内において、入力されたベネフィットの総合点数が計算される。この計算処理においては、家族構成ＤＢ１１が参照され、ユーザが選択したベネフィットが加算される。選択されたベネフィットに関し、重要度に応じた点数が計算され、入力ベネフィット登録テーブル１３３に登録される。お薦めプランテーブル１３５を参照しつつ、お薦めプラン選定処理３１が実行されると共に、空間適合基本プラン選定処理が実行される（ステップＳ１１２）。【選択図】        図７
2005038170.tif 000002
【特許請求の範囲】
【請求項１】
情報処理装置、又はクライアント−サーバシステムを構成するサーバ上で起動可能であって、
住宅設備に対する予算要求を入力する手段と、
住宅設備に対する複数項目の利点に係わる要求を入力する手段と、
前記複数項目の利点要求を項目別に予め用意された数値を用いて数値化する手段と、
予め用意された複数の住宅設備デザインプランについて、前記複数項目の利点毎の点数と価格とを有したプランデータと、
前記プランデータと、前記入力された予算要求と、前記数値化された利点要求とに基づいて、前記複数の住宅設備デザインプランをグレード分けする手段と、
前記グレード分けされたグレード別に、前記複数の住宅設備デザインプランの内容を表示する手段と、
を備える住宅設備デザインプランの提案システム。
【請求項２】
請求項１記載の住宅設備デザインプランの提案システムにおいて、
家族構成を入力する手段と、
その家族の構成員の種別毎に、複数項目の利点に対する要求点数を有した家族利点要求データと、
入力された家族構成と前記家族利点要求データとに基づいて、入力された家族構成についての複数項目の利点に関する数値化された利点要求に変換する手段と、
を更に備え、
前記利点要求に基づいて、前記家族に合う住宅設備デザインプランをグレード分けして表示するようにした住宅設備デザインプランの提案システム。
【請求項３】
情報処理装置、又はクライアント−サーバシステムを構成するサーバ上で起動可能であって、
住宅設備に対する複数項目の利点に係わる要求を入力する手段と、
前記複数項目の利点要求を項目別に予め用意された数値を用いて数値化する手段と、
家族構成を入力する手段と、
その家族の構成員の種別毎に、複数項目の利点に対する要求点数を有した家族利点要求データと、
入力された家族構成と前記家族利点要求データとに基づいて、入力された家族構成についての複数項目の利点に関する数値化された利点要求に変換する手段と、
を備える住宅設備デザインプランの提案システム。
【請求項４】
情報処理装置、又はクライアント−サーバシステムを構成するサーバ上で起動可能であって、
家族構成を入力する手段と、
その家族の構成員の種別毎に、複数項目の利点に対する要求点数を有した家族利点要求データと、
予め用意された複数の住宅設備デザインプランと、
前記家族利点要求データに基づいて、前記複数の住宅設備デザインプランをグレード分けする手段と、
を備える住宅設備デザインプランの提案システム。
【請求項５】
情報処理装置、又はクライアント−サーバシステムを構成するサーバ上で起動可能であって、
特定の住宅設備デザインプランを表示する手段と、
予め用意されている複数のカラーテイスト毎に、住宅設備デザインプランの画像を表示する手段と、
複数の表示された画像の中から任意の１つのカラーテイストをユーザに選択させる手段と、
予め複数のカラーテイストについて、カラーテイスト毎に住宅設備デザインプランに含まれる複数の機器の夫々に対するカラーチップを有しているカラーテイストデータと、
前記カラーテイストデータに基づいて、ユーザに選択されたカラーテイストに対応する各機器のカラーチップを前記表示手段によって表示された住宅設備デザインプランに適用することで前記表示された特定の住宅設備デザインプランの画像を、前記選択されたカラーテイストに合ったカラーで表示する手段と、
を備える住宅設備デザインプランの提案システム。
【請求項６】
請求項５記載の住宅設備デザインプランの提案システムにおいて、
ユーザが選択していない他のカラーテイストを、前記特定の住宅設備デザインプランを適用した場合の特定の住宅設備デザインプランの画像を、前記カラーテイストに基づいて作成する手段と、、
作成されたカラーテイストの画像を、選択されたカラーテイストの画像と対比できるように表示する手段と、
を更に備える住宅設備デザインプランの提案システム。
【請求項７】
請求項５記載の住宅設備デザインプランの提案システムにおいて、
２以上のカラーテイストを特定の住宅設備デザインプランに夫々適用した２以上の画像を作成する手段と、
前記作成されたカラーテイストの画像を、対比できるよう表示する手段と、
を更に備える住宅設備デザインプランの提案システム。
【請求項８】
請求項１記載の住宅設備デザインプランの提案システムにおいて、
グレード分けされた複数の住宅設備デザインプランの全部について、夫々の住宅設備デザインプランの内容を、ユーザに説明するためのプランシートを作成して出力する手段を更に備える住宅設備デザインプランの提案システム。
【請求項９】
請求項１記載の住宅設備デザインプランの提案システムにおいて、
代替可能な複数の器具品番と、各器具の画像と、各器具の価格と、各器具の複数の利点の点数とを有する数値データと、
前記複数の住宅設備デザインプランの中の特定の住宅設備デザインプランについて、前記器具データに基づいて、該住宅設備デザインプランを構成する器具品番に対して代替可能な他の器具の品番、画像を表示する手段と、
前記表示手段によって表示された代替可能な器具の中から、該ユーザに、代替させたい該ユーザ所望の器具を選択させる手段と、
前記選択した代替可能な器具の中で特定の住宅設備デザインプラン中の該当器具を代替した場合の前記特定の住宅設備デザインプランの利点の点数を、前記器具データに基づいて変更する手段と、
前記変更手段によって変更された点数に基づいて、再度複数の住宅設備デザインプランのグレ−ド分けを行う手段と、
を更に備える住宅設備デザインプランの提案システム。
【請求項１０】
請求項１記載の住宅設備デザインプランの提案システムにおいて、
代替可能な複数の器具品番と、各器具の画像と、各器具の価格と、各器具の複数の利点の点数とを有する数値データと、
前記複数の住宅設備デザインプランの中の特定の住宅設備デザインプランについて、前記器具データに基づいて、該住宅設備デザインプランを構成する器具品番に対して代替可能な他の器具の品番、画像を表示する手段と、
前記表示手段によって表示された代替可能な器具の中から、該ユーザに、代替させたい該ユーザ所望の器具を選択させる手段と、
前記選択した代替可能な器具の中で特定の住宅設備デザインプラン中の該当器具を代替した場合の前記特定の住宅設備デザインプランの利点の点数を、前記器具データに基づいて変更する手段と、
前記変更手段によって変更された点数に基づいて、再度複数の住宅設備デザインプランのグレ−ド分けを行う手段と、
代替した場合の特定の住宅設備デザインプランの利点の点数と価格の変動量を計算して表示する手段と、
を更に備える住宅設備デザインプランの提案システム。
【請求項１１】
請求項１記載の住宅設備デザインプランの提案システムにおいて、
器具品番、器具、又は住宅設備デザインプラン毎に追加可能な少なくともオプション品の情報を有するオプションデータと、
前記複数の住宅設備デザインプラン中の特定の住宅設備デザインプランについて、前記オプション品データに基づいて、該住宅設備デザインプランに追加可能なオプション品を選定する手段と、
前記選定されたオプション品の情報を表示する手段と、
を更に備える住宅設備デザインプランの提案システム。
【請求項１２】
請求項１１記載の住宅設備デザインプランの提案システムにおいて、
前記オプション品の情報には、複数の利点の点数と価格とが含まれており、
前記オプション品番表示手段は、選定されたオプション品の各々について前記オプション品を特定の住宅設備デザインプランに追加したときの利点の点数又は価格の変動を計算し表示するようにした住宅設備デザインプランの提案システム。
【発明の詳細な説明】
【技術分野】
【０００１】
本発明は、情報処理装置、又はクライアント−サーバシステムを構成するサーバ上で起動可能な住宅設備デザインプランの提案システムに関する。
【背景技術】
【０００２】
従来、トイレ室の選定が容易に行え、発注及び受注の対象としてのトイレ室のイメージを、発注者及び受注者が正確に把握できるようにするため、トイレ室の構造を決定する工程と、トイレ室内に設置する器具を決定する工程と、決定されたトイレ室構造、及び器具を持つトイレ室のモデルを表示する工程とを備えるトイレ室の選定方法が提案されている。上記トイレ室の選定方法は、更に、各デザインプランのモデルに付された色彩を変更する工程をも備えている（例えば特許文献１参照）。
【０００３】
上記提案では、トイレ室の構造や各種器具等に係わる多数のデザインプランが、前もって完全プランとして、それらプランのモデルを表現したデータの態様で情報処理端末（コンピュータ）に内蔵されるメモリ、或いは、該情報処理端末にセットされるＣＤーＲＯＭ中に登録されている。そして、発注者であるユーザが、例えばトイレ室の間取り（広さ）、使用する設備（器具）の性能、及び住宅空間自体の持っている性能等の条件を上記情報処
理端末に入力すると、上記情報処理端末は、上記条件にマッチしたデザインプランのモデルを上記登録されている多数のデザインプランの中から検索して表示部に表示する。
【０００４】
【特許文献１】特開2002-230075号公報。
【発明の開示】
【発明が解決しようとする課題】
【０００５】
ところで、受注者（顧客）であるユーザがトイレ室等に要求する条件は、上述したトイレ室の間取り（広さ）、使用する設備（器具）の性能、及び住宅空間自体の持っている性能などのような、第三者にも明確に把握できる言わば客観的な条件ばかりとは限らない。現実には、ユーザは、明確に把握（定義）できない不明瞭（曖昧）な要求を持っている。一例として、収納を便利にしたい、広々とした空間が欲しい、或いは、色彩についても、こんな雰囲気の色彩にしたいなどである。また、ユーザの要求は、夫婦２人だけか、子供がいるのか、更には老人も同居しているのかなどの個々のユーザの家族構成によっても異なるし、各ユーザにとって、どのデザインプランが最も適切なものであるかは不明である。このように、ユーザ自身が持っている要求は、要求自体が非常に曖昧なものが多く、しかも曖昧な要求は複数あるのが一般的であるから、上述した提案に係るトイレ室の選定方法では、明確に定義することができないユーザの要求を満たし得るデザインプランを検索するのは不可能である。
【０００６】
また、トイレ関連の（住宅）資材や機器等を製造しているメーカー側のコンサルタントや、それら資材や機器の販売業者側のコンサルタントが、必ずしも、上記のように非常に曖昧なユーザの要求に対応することができるだけの豊富な商品知識を持っているとは限らない。商品知識に精通しているコンサルタントよりも、むしろ商品知識の乏しいコンサルタントの方が多い場合もあり得る。そのような場合には、仮にユーザの要求が確定したとしても、上記コンサルタントが、ユーザの該確定した要求に適合するデザインプランを構成する商品セットを効率良く選択するのは困難である。
【０００７】
また、仮にユーザの要求に適合するデザインプランが選択できたとしても、他のデザインプランも多数存在している訳であり、ユーザの要求に最も適合するとして選択されたデザインプランを含めてどのデザインプランがユーザにとって最も良いものであるかは、実際に各デザインプランを比較対照してみなければ分からない。当初は、ユーザの要求に適合しないデザインプランであったとしても、最終的にユーザに気に入られることが往々にしてある。例えば、工事代金を或る予算額以内に収めたいというユーザの要求があったため、該予算額以下のデザインプランを作成したが、場合によると、工事代金が該予算額よりは多少上廻るが、ユーザの要求に適合するとされたデザインプランよりもグレードアップしたものをユーザに提示したら、ユーザが気に入ってしまう可能性もある。よって、ユーザの要求に最も良くマッチしたデザインプランが、該ユーザが最終的に最も満足するベストなデザインプランであるとは限らない。
【０００８】
従って本発明の目的は、顧客（ユーザ）の提示する曖昧な要求により良く適合できる住宅設備デザインプランを提案できるようにすることにある。
【０００９】
また、本発明の別の目的は、設備や器具に対する知識の乏しい人間であっても、顧客（ユーザ）の曖昧な要求に適合した住宅設備デザインプランが得られるようにすることにある。
【００１０】
更に、本発明の別の目的は、顧客（ユーザ）の要求に最も適合するデザインプランのみならず、各々のデザインプランに対する変更可能なデザインプラン（オプション）のバリエーションをも同時に提示することで、顧客（ユーザ）が最終的に満足するような住宅設備デザインプランを容易に提示できるようにすることにある。
【課題を解決するための手段】
【００１１】
本発明の第１の観点に従う住宅設備デザインプランの提案システムは、情報処理装置、又はクライアント−サーバシステムを構成するサーバ上で起動可能であって、住宅設備に対する予算要求を入力する手段と、住宅設備に対する複数項目の利点に係わる要求を入力する手段と、上記複数項目の利点要求を項目別に予め用意された数値を用いて数値化する手段と、予め用意された複数の住宅設備デザインプランについて、上記複数項目の利点毎の点数と価格とを有したプランデータと、上記プランデータと、上記入力された予算要求と、上記数値化された利点要求とに基づいて、上記複数の住宅設備デザインプランをグレード分けする手段と、上記グレード分けされたグレード別に、上記複数の住宅設備デザインプランの内容を表示する手段と、を備える。
【００１２】
本発明の第１の観点に係る好適な実施形態では、家族構成を入力する手段と、その家族の構成員の種別毎に、複数項目の利点に対する要求点数を有した家族利点要求データと、入力された家族構成と上記家族利点要求データとに基づいて、入力された家族構成についての複数項目の利点に関する数値化された利点要求に変換する手段と、を更に備え、上記利点要求に基づいて、上記家族に合う住宅設備デザインプランをグレード分けして表示するようにしている。
【００１３】
本発明の第２の観点に従う住宅設備デザインプランの提案システムは、情報処理装置、又はクライアント−サーバシステムを構成するサーバ上で起動可能であって、住宅設備に対する複数項目の利点に係わる要求を入力する手段と、上記複数項目の利点要求を項目別に予め用意された数値を用いて数値化する手段と、家族構成を入力する手段と、その家族の構成員の種別毎に、複数項目の利点に対する要求点数を有した家族利点要求データと、入力された家族構成と上記家族利点要求データとに基づいて、入力された家族構成についての複数項目の利点に関する数値化された利点要求に変換する手段と、を備える。
【００１４】
本発明の第３の観点に従う住宅設備デザインプランの提案システムは、情報処理装置、又はクライアント−サーバシステムを構成するサーバ上で起動可能であって、家族構成を入力する手段と、その家族の構成員の種別毎に、複数項目の利点に対する要求点数を有した家族利点要求データと、予め用意された複数の住宅設備デザインプランと、上記家族利点要求データに基づいて、上記複数の住宅設備デザインプランをグレード分けする手段と、を備える。
【００１５】
本発明の第４の観点に従う住宅設備デザインプランの提案システムは、情報処理装置、又はクライアント−サーバシステムを構成するサーバ上で起動可能であって、特定の住宅設備デザインプランを表示する手段と、予め用意されている複数のカラーテイスト毎に、住宅設備デザインプランの画像を表示する手段と、複数の表示された画像の中から任意の１つのカラーテイストをユーザに選択させる手段と、予め複数のカラーテイストについて、カラーテイスト毎に住宅設備デザインプランに含まれる複数の機器の夫々に対するカラーチップを有しているカラーテイストデータと、上記カラーテイストデータに基づいて、ユーザに選択されたカラーテイストに対応する各機器のカラーチップを上記表示手段によって表示された住宅設備デザインプランに適用することで上記表示された特定の住宅設備デザインプランの画像を、上記選択されたカラーテイストに合ったカラーで表示する手段と、を備える。
【００１６】
本発明の第４の観点に係る好適な実施形態では、ユーザが選択していない他のカラーテイストを、上記の住宅設備デザインプランを適用した場合の特定の住宅設備デザインプランの画像を、上記ーテイストに基づいて作成する手段と、作成されたカラーテイストの画像を、選択されたカラーテイストの画像と対比できるように表示する手段と、を更に備える。
【００１７】
上記とは別の実施形態では、２以上のカラーテイストを特定の住宅設備デザインプランに夫々適用した２以上の画像を作成する手段と、上記作成されたカラーテイストの画像を、対比できるよう表示する手段と、を更に備える。
【００１８】
また、上記とは別の実施形態では、グレード分けされた複数の住宅設備デザインプランの全部について、夫々の住宅設備デザインプランの内容を、ユーザに説明するためのプランシートを作成して出力する手段を更に備える。
【００１９】
また、上記とは別の実施形態では、代替可能な複数の器具品番と、各器具の画像と、各器具の価格と、各器具の複数の利点の点数とを有する数値データと、上記複数の住宅設備デザインプランの中の特定の住宅設備デザインプランについて、上記器具データに基づいて、その住宅設備デザインプランを構成する器具品番に対して代替可能な他の器具の品番、画像を表示する手段と、上記表示手段によって表示された代替可能な器具の中から、そのユーザに、代替させたいそのユーザ所望の器具を選択させる手段と、上記選択した代替可能な器具の中で特定の住宅設備デザインプラン中の該当器具を代替した場合の上記特定の住宅設備デザインプランの利点の点数を、上記器具データに基づいて変更する手段と、上記変更手段によって変更された点数に基づいて、再度複数の住宅設備デザインプランのグレ−ド分けを行う手段と、を更に備える。
【００２０】
また、上記とは別の実施形態では、代替可能な複数の器具品番と、各器具の画像と、各器具の価格と、各器具の複数の利点の点数とを有する数値データと、上記複数の住宅設備デザインプランの中の特定の住宅設備デザインプランについて、上記器具データに基づいて、その住宅設備デザインプランを構成する器具品番に対して代替可能な他の器具の品番、画像を表示する手段と、上記表示手段によって表示された代替可能な器具の中から、そのユーザに、代替させたいそのユーザ所望の器具を選択させる手段と、上記選択した代替可能な器具の中で特定の住宅設備デザインプラン中の該当器具を代替した場合の上記特定の住宅設備デザインプランの利点の点数を、上記器具データに基づいて変更する手段と、上記変更手段によって変更された点数に基づいて、再度複数の住宅設備デザインプランのグレ−ド分けを行う手段と、代替した場合の特定の住宅設備デザインプランの利点の点数と価格の変動量を計算して表示する手段と、を更に備える。
【００２１】
また、上記とは別の実施形態では、器具品番、器具、又は住宅設備デザインプラン毎に追加可能な少なくともオプション品の情報を有するオプションデータと、上記複数の住宅設備デザインプラン中の特定の住宅設備デザインプランについて、上記オプション品データに基づいて、その住宅設備デザインプランに追加可能なオプション品を選定する手段と、上記選定されたオプション品の情報を表示する手段と、を更に備える。
【００２２】
更に、上記とは別の実施形態では、上記オプション品の情報には、複数の利点の点数と価格とが含まれており、上記オプション品番表示手段は、選定されたオプション品の各々について上記オプション品を特定の住宅設備デザインプランに追加したときの利点の点数又は価格の変動を計算し表示するようにしている。
【発明の効果】
【００２３】
以上説明したように、本発明によれば、顧客（ユーザ）の提示する曖昧な要求により良く適合できるデザインプランを提供できるようにすることができる。
【００２４】
また、本発明によれば、設備や器具に対する知識の乏しい人間であっても、顧客（ユーザ）の曖昧な要求に適合したデザインプランが得られるようにすることができる。
【００２５】
更に、本発明によれば、顧客（ユーザ）の要求に最も適合するプランのみならず、各々のプランに対する変更可能なプラン（オプション）のバリエーションをも同時に提示することで、顧客（ユーザ）が最終的に満足するようなデザインプランを容易に提示できるようにすることができる。
【発明を実施するための最良の形態】
【００２６】
以下、本発明を実施するための最良の形態を、図面により詳細に説明する。
【００２７】
本発明の一実施形態に係る住宅設備デザインプランの提案システムは、例えばクライアント−サーバシステムの（ホスト）サーバに構築されるか、或いは、個々の情報処理端末（ローカルコンピュータ）に構築されることによって利用されるようになっている。なお、上記提案システムがクライアント−サーバシステムの（ホスト）サーバに構築されている場合には、個々のクライアントが、Ｘプロトコル等を用いて（ホスト）サーバとの間で情報の授受を行うことにより、クライアント側で入力操作／表示動作を行うことで、あたかも、（ホスト）サーバを操作しているのと同じ状態で、上記提案システムを利用できる。なお、上記クライアント−サーバシステムには、ｗｅｂシステムも含まれる。
【００２８】
図１、図２及び図３は、本発明の一実施形態に係る住宅設備デザインプランの提案システムにおける顧客（ユーザ）の要求を入力する画面の遷移を示す説明図である。
【００２９】
図１に示す入力画面は、部屋情報入力画面１００と称する、ユーザの要求を入力するためのもので、この部屋情報入力画面１００には、空間サイズ情報、ドア位置情報、ベネフィット情報、予算情報、及び家族構成情報を、入力項目として入力するために、領域１、領域３、領域５、領域７及び領域９の合計５つの領域が設定されている。
【００３０】
領域１は、空間サイズ情報として、個々のユーザの要求に適合した住宅設備（トイレ）のデザインプランを選定するための前提条件となる空間サイズ（トイレ空間（トイレ面積）のサイズ）を入力するためのもので、図示のように、間口サイズと奥行きサイズとが夫々ｍｍ単位で選択可能になっている。つまり、ユーザが間口サイズの（＋／−）スピンボタン、奥行きサイズの（＋／−）スピンボタンをクリックすることによって、具体的な間口サイズの数値情報、及び具体的な奥行きサイズの数値情報が夫々入力される。上記のような空間サイズ情報は、ユーザの好みによって変更されるような曖昧なものではなく、ユーザの住宅の間取り等によって客観的に決定される情報であり、確実な情報である。
【００３１】
領域３は、トイレ室に取付けるドアの位置を選択して、該選択した位置をドア位置情報として入力するためのもので、図１では、２つの三角印３ａ、３ｂのうちのいずれか一方が選択可能になっている。つまり、ユーザが三角印３ａ、３ｂのいずれか一方をクリックすることにより、選択された三角印が上記トイレ室のドア位置を示す情報として入力される。ドア位置情報も、上述した空間サイズ情報におけると同様に、ユーザの好みによって変更されるような曖昧なものではなく、ユーザの住宅の間取りや、トイレ室内に設置される便器や手洗器等の配置パターンによって客観的に決定される情報であり、確実な情報である。
【００３２】
領域５は、上記トイレ室に対してユーザが如何なる空間的な利点（ベネフィット）を持つことを要求しているかを定義するのに必要な情報（つまり、ベネフィット情報）を入力するためのものである。このようなベネフィット情報は、上述した空間サイズ情報やドア位置情報等とは異なって、元々客観的に定義するのが困難な曖昧な情報である。本実施形態では、領域５に、上記トイレ室に対する空間的なベネフィットに係わるユーザの曖昧な要求をベネフィット情報として定義するために、図１に示すように、『空間ひろびろ』、『収納充実』、『お手入れ簡単』、及び『楽々使用』等の（属性）項目が設定されている。領域５には、更に、これら各（属性）項目別に、ユーザの好みによって重み付けが行えるように（つまり、ユーザにとっての重要度（利点）が反映されるように）夫々チェックボックスが設定されている。
【００３３】
ここで、『楽々使用』の（属性）項目は、所謂バリアフリーの意味であり、高齢者が楽にトイレを使用できることを意味している。なお、図１に示した例では、『空間ひろびろ』が『最重要』に、残りの『収納充実』、『お手入れ簡単』、及び『楽々使用』がいずれも『ふつう』に、夫々重み付けが行われている。なお、上述した各（属性）項目については、全てを入力する必要はなく、ユーザが所望の入力（属性）項目を選択して入力することが可能である。
【００３４】
領域７は、ユーザがトイレ室工事の代金として想定している具体的な金額を予算情報として入力するためのものであり、また、領域９は、ユーザの家族構成情報を入力するためのものである。これら予算情報及び家族構成情報は、上述した空間サイズ情報やドア位置情報等と同様に、客観的に決定される情報であり、確実な情報である。家族構成情報は、家族構成データベース（ＤＢ）１１から読出される。
【００３５】
家族構成ＤＢ１１は、該ユーザが、前もって要求するであろうと予測されるベネフィット毎に、夫々所定の点数が登録されているＤＢである。換言すれば、家族構成ＤＢ１１は、上述した空間的なベネフィットに係わるユーザの曖昧な要求をベネフィット情報として定義するのに必要な各（属性）項目を、ベネフットに変換するためのもので、各（属性）項目別にベネフィットの度合を示す点数（数値情報）が設定されている。上記各点数（数値情報）は、各点数（数値情報）に対応する（属性）項目が選択されることによって（選択された（属性）項目を検索のためのキーとして）、家族構成ＤＢ１１から読出される。
【００３６】
家族構成ＤＢ１１について、更に説明すれば、家族構成ＤＢ１１には、図１に示すように、ユーザの家族構成として、大人（男）、大人（女）、子供、及び年寄りが登録されていると共に、上述した（ベネフィットに対するユーザの曖昧な要求を定義するための）各（属性）項目に対する各家族毎の重み付けを示す（点数）数値情報が設定されている。例えば、大人（男）は体格が大きく、健常者であってトイレの清掃などは行わないのが一般的であるから、『空間ひろびろ』の重要度が「１０」で最も高く、『お手入れ簡単』、及び『楽々使用（バリア・フリー）』の重要度は「０」で最も低くなる。次に、大人（女）は、家事の一環としてトイレの清掃を殆ど一人で行うのが一般的であるから、『収納充実』、及び『お手入れ簡単』の重要度が「１０」で最も高くなり、『空間ひろびろ』、及び『楽々使用（バリア・フリー）』の重要度は「０」で最も低くなる。また、子供は、時に家事手伝いとしてトイレの清掃を行うことがあり、しかも、大人と違って体格が小さいから『収納充実』、及び『お手入れ簡単』の重要度が「１０」で最も高く、『楽々使用（バリア・フリー）』の重要度は「５」で中程度であり、『空間ひろびろ』の重要度は「０」で最も低くなる。更に、年寄りは、高齢のために程度の差こそあれ体が不自由になっているのが一般的であるから、『楽々使用（バリア・フリー）』の重要度が「１０」で最も高く、『空間ひろびろ』の重要度は「５」で中程度であり、『収納充実』、及び『お手入れ簡単』の重要度は「０」で最も低くなる。
【００３７】
上述した部屋情報入力画面１００の下端には、ＯＫボタン１３と、戻るボタン１５と、取消ボタン１７とが設定されている。ユーザがＯＫボタン１３をクリックすると、品番ＤＢ１９、設計基準ＤＢ２１、基本プランＤＢ２３、品番別器具写真ＤＢ２５、カラーテイストＤＢ２７、及び品番別カラーチップＤＢ２９を使用するお薦めプラン選定処理３１を実行する。ユーザが取消ボタン１７をクリックした場合には、上述した部屋情報入力画面１００への入力情報は、全てキャンセルされる。なお、戻るボタン１５については、部屋情報入力画面１００が最初に表示される画面であるので、たとえユーザがクリックしたとしても表示画面は部屋情報入力画面１００から変更されることはない。
【００３８】
図１で示したお薦めプラン選定処理３１を実行することによって、図２に示すお薦めプラン提示画面２００が表示される。本実施形態では、お薦めプラン提示画面２００には、ユーザの要求に適合し得るプランとして、各デザインプランを示す写真画面、予算額、及びベネフィット等の情報を夫々有するプラン松３３、プラン竹３５、及びプラン梅３７の３つのプランが提示されている。最も高い予算額のプランがプラン松３３であり、中くらいの予算額のプランがプラン竹３５であり、最も安い予算額のプランがプラン梅３７となっている。上述した各プランは、予算が高ければ高いほどユーザの満足度が高くなり、逆に予算が低ければ低いほどユーザの満足度が低くなる。いずれのプランを選択するかは、ユーザの要求する予算額に最も重きを置いて検討することになる。
【００３９】
以下、各プランについて詳述すると、プラン松３３には、写真画面として、例えばローシルエットＷＬ一体型便器の画面が表示されていると共に、予算額として５５万円以上、ベネフィットとして『空間（ひろびろ）』５点、『収納（充実）』４点、『お手入れ（簡単）』３点、が夫々表示されている。ローシルエットＷＬ一体型便器の画面には、例えば品名がネオレストＳＤ２で品番がＣＥＳ９５７１で価格が２５万円の便器と、品名がスリムＧで品番がＵＨＬＧ１２Ｌ６ＭＭＳ１１Ａで価格が８万４千４百円の小形手洗カウンタ（１２００）とを少なくとも含む画像が表示されている。
【００４０】
次に、プラン竹３５には、写真画面として、例えばキャビネット付便器の画面が表示されていると共に、予算額として４５万円以上、ベネフィットとして『空間（ひろびろ）』３点、『収納（充実）』３点、『お手入れ（簡単）』２点、が夫々表示されている。キャビネット付便器の画面には、例えば品名がレストパルＳ（Ｌ型アプリＮ３）で品番がＵＨＬＰＡ１ＲＡＤＣＳＮ１ＮＷＭＰで価格が３３万８千５百円の便器と、小形手洗カウンタ（１２００ハンドル式）とを少なくとも含む画像が表示されている。
【００４１】
更に、プラン梅３７には、写真画面として、例えばハイシルエットＷＬ一体型便器の画面が表示されていると共に、予算額として３５万円以上、ベネフィットとして『空間（ひろびろ）』４点、『収納（充実）』１点、『お手入れ（簡単）』２点、が夫々表示されている。ハイシルエットＷＬ一体型便器の画面には、例えば品名がＺＧ２（手洗なし）で品番がＣＥＳ９０８９Ｅで価格が２６万２千円の便器と、品番がＹＳＣ４６Ｎで価格が４万７千３百円のトイレキャビネット（ハンドル式）とを少なくとも含む画像が表示されている。
【００４２】
お薦めプラン提示画面２００の下端には、ＯＫボタン３９と、戻るボタン４１と、取消ボタン４３とが設定されている。ユーザがＯＫボタン３９をクリックすると、カラーテイスト変更画面３００が表示される。ユーザが戻るボタン４１をクリックすると、お薦めプラン提示画面２００から部屋情報入力画面１００に復帰する。ユーザが取消ボタン４３をクリックした場合には、上述したお薦めプラン提示画面２００への入力情報は、全てキャンセルされる。
【００４３】
例えばプラン梅３７をクリックすると、プラン梅３７の器具追加変更画面４００が表示される。そして、器具追加変更画面４００において、大便器を例に取れば、品番・価格の異なる大便器の中からユーザが所望する任意の品番・価格の大便器を選択すると、大便器選択領域４５に示すように、選択した大便器の品番（機種）の写真画面や、代替可能な品番（機種）の一覧や、該大便器の色情報や、該大便器への給水方向（例えば壁給水等）等が、表示される。これらに加えて、追加変更工法の概要説明が表示される場合もあり得る。上記写真画面は、細かい仕様の選択が可能な、大便器の色彩が肉眼で明確に認識できるカラーのメニュー写真である。なお、例えば上記カラーのメニュー写真をダブルクリックすれば、現在器具追加変更画面４００に表示されている大便器の品番（機種）を交換することができる。
【００４４】
器具追加変更画面４００において、符号４７で示した領域は、例えば大便器や、小便器や、手洗器や、化粧鏡や、手摺りや、フロア収納や、ウォール収納や、トイレフロア等のトイレ室内に設置される各種設備を示す領域であり、ウォール収納のみならず、フロア（床下）収納も行えることを示している。また、符号４９で示した領域は、予算額を表示するための領域であり、この場合にはプラン梅３７に係わる予算の総額（金額）が自動的に計算されて表示される。
【００４５】
更に、符号５１で示した領域は、ベネフイット（情報）の表示領域である。領域５１には、プラン梅３７におけるベネフィット情報と略同一内容のベネフィット情報が表示されている。領域５１には、変更後のベネフィット（情報）も表示される。ユーザの各デザインプランに対する曖昧な要求が、ベネフィット（情報）として数値化されて領域５１に表示されるので、商品知識の乏しいコンサルタントであっても、表示された器具追加変更画面４００を参照することにより、ユーザの要求に適合し得る器具をスムーズに選択することが可能になる。
【００４６】
換言すれば、ユーザは、上述したプラン松３３、プラン竹３５、及びプラン梅３７の３種類のデザインプランを比較対照しながら、対比評価を行うことが可能であるから、ユーザのより満足し得るデザインプランの選択が容易になる。
【００４７】
器具追加変更画面４００の下端には、ＯＫボタン５３と、戻るボタン５５と、取消ボタン５７とが設定されている。ユーザがＯＫボタン５３をクリックすると、カラーテイスト変更画面３００が表示される。ユーザが戻るボタン５５をクリックすると、器具追加変更画面４００からお薦めプラン提示画面２００に復帰する。ユーザが取消ボタン５７をクリックした場合には、上述した器具追加変更画面４００への入力情報は、全てキャンセルされる。器具追加変更画面４００への入力情報は、設計基準ＤＢ２１から読出される。
【００４８】
カラーテイスト変更画面３００は、同一のデザインプランに対して、個々のユーザが、色彩や色合いに係わる該ユーザの趣味に適合した配色のデザインプランを選択できるよう、各デザインプラン毎に、前もって設定された複数のカラーテイスト画面を有する。カラーテイスト変更画面３００を利用することにより、同一のデザインプランにおいて、ユーザが最も自分の好み（ティスト）に合うカラーティストを選択することが可能になる。
【００４９】
本実施形態では、図２に示すように、同一のデザインプランについて第１カラーテイスト画面６１、第２カラーテイスト画面６３、第３カラーテイスト画面６５、第４カラーテイスト画面６７、第５カラーテイスト画面６９、及び第６カラーテイスト画面７１の合計６個のカラーテイスト画面が、カラーテイスト変更画面３００中に表示される。第１カラーテイスト画面６１乃至第６カラーテイスト画面７１は、例えば品名がネオレストＳＤ２で品番がＣＥＳ９５７１の大便器の画像と、品名がスリムＧ（大型カウンター１５００）で品番がＵＨＬＧ２３Ｌ６ＭＭＳＩ１Ａの大型手洗カウンターの画像とを少なくとも含むローシルエットＷＬ一体型便器の画面に係わるものである。
【００５０】
第１カラーテイスト画面６１には、白色基調のシンプルな空間を表現したホワイト・グレー系の配色が、第２カラーテイスト画面６３には、暖色系色のやさしい空間を表現したピンク系の配色が、第３カラーテイスト画面６５には、茶系色の穏やかな空間を表現したベージュ系の配色が、夫々示されている。第４カラーテイスト画面には、寒色系のさわやかな空間を表現したブルー／グリーン系の配色が、第５カラーテイスト画面には、温もりあるナチュラルな空間を表現した明るい木目系の配色が、第６カラーテイスト画面には、落ち着きある重厚な空間を表現した濃色の木目系の配色が、夫々示されている。第１カラーテイスト画面６１乃至第６カラーテイスト画面７１における各々の配色は、デフォルトの配色である。
【００５１】
カラーテイスト変更画面３００の下端には、ＯＫボタン７３と、戻るボタン７５と、取消ボタン７７とが設定されている。ユーザがＯＫボタン７３をクリックすると、品番ＤＢ１９、設計基準ＤＢ２１、品番別器具写真ＤＢ２５、カラーテイストＤＢ２７、品番別カラーチップＤＢ２９、器具別訴求ＤＢ８３、施工情報ＤＢ８５、及びＣＡＤパーツＤＢ８７を使用する、次の図３に示すプラン出力処理７９を実行する。ユーザが戻るボタン７５をクリックすると、カラーテイスト変更画面３００からお薦めプラン提示画面２００、又は器具追加変更画面４００に復帰する。ユーザが取消ボタン７７をクリックした場合には、上述したカラーテイスト変更画面３００への入力情報は、全てキャンセルされる。カラーテイスト変更画面３００への入力情報は、カラーテイストＤＢ２７から読出される。
【００５２】
ユーザが最も自分の好み（ティスト）に合う、カラーティストを選択して、ＯＫボタン７３をクリックすることで、該ユーザが所望するトイレ室空間全体としてのカラーの雰囲気を選択することができる。たとえ、ユーザが明確に認識していなくても、上述した６種類の（デフォルトの）カラーティストにおいて、各カラーティスト毎にうまく調和されるように、大便器や手洗器等の器具や床等のトイレ室空間の全体を構成する要素の色彩の組合せ（各器具の色彩の調和、コーディネィト等）が、前もってカラーテイストＤＢ２７内のテーブル中に設定されているものとする。
【００５３】
カラーテイスト変更画面３００を利用することにより、ユーザのティスト（好み）に合う（バランスの取れた）色選択を自動的に行うことが可能であり、基本的に間違った、アンバランスな色選択が行われるのを防止できる。また、カラーティストに応じた色を選択できるという利点があるのみならず、個々のデザインプラン毎に異なる（カラーティスト）を選択することも可能である。上述したカラーテイストの決定処理は、カラーティストＤＢ２７を参照しながら行われる。
【００５４】
上述したカラーティストの決定処理が行われた後に、図３に示すプラン出力処理７９が内部で（バックグラウンドで）行われる。プラン出力処理７９では、上記のように、品番ＤＢ１９、設計基準ＤＢ２１、品番別器具写真ＤＢ２５、カラーテイストＤＢ２７、品番別カラーチップＤＢ２９、器具別訴求ＤＢ８３、施工情報ＤＢ８５、及びＣＡＤパーツＤＢ８７が利用される。プラン出力処理７９の結果として、各デザインプラン毎に、いずれもプリントアウトが可能な、オプション品リスト一覧シート８９、カラーテイスト対比シート９１、（デザイン）プラン説明シート９３、及び（個々の商品の）品番リストと（トイレ室）空間の設計図とを表示したシート９５の合計４種類のシートが画面情報として表示される。
【００５５】
（オプション品リスト一覧）シート８９には、図３に示すように、或るデザインプランに対して、更に変更や追加が可能なオプション事項がリストアップされている。シート８９には、個々の変更事項（内容）と、（当初の予算額と実際の支払金額との）差額と、オプションが持っているベネフィット（例えばゴージャスになるとか、或いは楽々とか、節水とかいうようなもの）とが表示されている。例えば、通常の手動水栓を自動水栓に変更することにより、ユーザが実際にメーカー側、或いは販売業者側に支払わなければならない金額は当初の予算額より幾らか増加するものの、節水や、使用が楽になる等のベネフィットの改善を図ることができる。一方、メーカー側や販売業者側からすれば、ユーザをより一層満足させ得る製品を提供できるようになるから、メーカー側や販売業者側とユーザ側との双方を満足させることが可能になる。
【００５６】
（カラーテイスト対比）シート９１には、カラーティスト変更画面３００が持つ複数のカラーテイスト画面と同一のカラーテイスト画面、即ち、第１カラーテイスト画面６１、第２カラーテイスト画面６３、第３カラーテイスト画面６５、第４カラーテイスト画面６７、第５カラーテイスト画面６９、及び第６カラーテイスト画面７１が、夫々表示されている。換言すれば、シート９１には、ユーザがお薦めプラン表示画面２００において選択した或るデザインプラン（本実施形態では、プラン梅３７）に係わる写真であって、該デザインプランの全体空間について全て（本実施形態では６種類）のカラーティストで色付けしたときのカラー写真が）一覧で表示される。カラーテイストについては、各ユーザ毎に好み（テイスト）が微妙に異なるので、該ユーザによって選択されたデザインプランに対し実際に色付けして対比してみないと、果たして該ユーザにとって気に入るカラーテイストかどうかは分からない。そこで、シート９１が、ユーザによるデザインプラン選択のための吟味の資料となり、より良い吟味が行え、それによって該ユーザが適切なカラーを選択できるように、同一のデザインプランについて、複数のカラーテイスト画面が対比可能なシート９１を表示することとした。なお、カラーテイストの選択は、実際には該ユーザからの要求を聞いて、メーカー側、或いは販売業者側のスタッフが行う。
【００５７】
（デザインプラン説明）シート９３には、或る施工現場（即ち、該ユーザの住宅内部のトイレ室空間）における該ユーザによって選択されたサンプル画面が示されている。即ち、シート９３には、デザインプランの全体空間を示すカラー写真と、該全体空間内に設置される個々の器具のカラー写真と、主要な器具、若しくは特徴的な器具に係わる説明文章（或る器具が特別の利便性や優れた性能を持った器具であること、それら利便性や優れた性能の内容紹介、及び該デザインプラン自体の持っている特徴等をユーザに理解させるための説明文章）が表示される。一例として、カラー写真には、主として、大便器（腰掛便器）の画像と、照明なしの化粧鏡の画像と、手摺りの画像と、手洗器の画像と、フロア収納及びトイレキャビネットから成る収納キャビネットの画像と専用接着剤を用いて取付固定される床関連部材の画像と、が含まれている。そして、大便器はコンパクトサイズのもので特殊な洗浄機能が備えられており、手洗器は紙巻器及びタオル掛け付きであって、且つ、狭いトイレ空間にも設置できるタイプのものであり、更には、カウンターの高さが肘掛けに適したものである旨等の説明文章も表示されている。シート９３には、該デザインプランの良さや特徴を表した訴求ポイント（特徴ポイント）が表現されている。
【００５８】
なお、シート９３に表示されているカラーとは、既述の内容から明らかなように、カラーティスト変更画面３００において該ユーザが選択した１つのカラーティストに従った色である。
【００５９】
シート９５には、個々の商品の品番リストと、正面図、側面図、及び平面図等のＣＡＤ図面から成るトイレ室内空間の設計図とが表示される。この設計図は、施工業者向けのＣＡＤ図面である。
【００６０】
プラン出力処理７９においては、各々予算額の異なる複数のデザインプラン毎に、上述したシート８９、シート９１、シート９３、及びシート９５の４種類のシートが表示される。
【００６１】
デザインプランの選定を実際に行う場合、その作業の流れとしては、上述した各画面の系統図の作成作業と、個々の詳細画面の作成作業とは、個別に行われることになり、従って作成される図面の数は増加する。
【００６２】
図４は、お薦めプラン選定処理３１において利用される各ＤＢに夫々記録されているデータを示す説明図、図５は、お薦めプラン選定処理３１において利用される各ＤＢに夫々記録されているデータ、及びプラン出力処理７９において利用される各ＤＢに夫々記録されているデータを示す説明図、図６は、プラン出力処理７９において利用される各ＤＢに夫々記録されているデータを示す説明図である。
【００６３】
図４には、お薦めプラン選定処理３１において利用されるＤＢとして、基本プランＤＢ２３、及び品番ＤＢ１９が、夫々示されている。
【００６４】
基本プランＤＢ２３には、例えば、空間サイズ、ドア位置、デザインプランのグレード別、及び商品名の各項目を備える全部で９個のデータが登録されている。そのうちの６個については、空間サイズが比較的小さい値（１２１６）のデータであり、残りの３個については、空間サイズが比較的大きい値（１６１６）のデータである。上記６個のデータのうちの３個については、いずれもドア位置がトイレ室空間の短辺側で、デザインプランのグレードが夫々上述した「松」、「竹」、「梅」に分類（設定）されている。そして、便器や手洗器等の商品についても、夫々「松」、「竹」、「梅」に対応した品番のものが登録されている。一方、上記６個のデータのうちの残りの３個については、いずれもドア位置がトイレ室空間の長辺側で、デザインプランのグレードについては、上記と同様に「松」、「竹」、「梅」に分類（設定）されており、且つ、便器や手洗器等の商品についても、夫々「松」、「竹」、「梅」に対応した品番のものが登録されている。
【００６５】
空間サイズが比較的大きい値（１６１６）を持つ残りの３個のデータについては、いずれもドア位置がトイレ室空間の短辺側で、デザインプランのグレードが夫々上述した「松」、「竹」、「梅」に分類（設定）されている。そして、便器や手洗器等の商品についても、夫々上記各データにおけると同様に、「松」、「竹」、「梅」に対応した品番のものが登録されている。なお、商品名については、便器や手洗器以外のものは、図示と説明の都合上、記載を省略した。
【００６６】
品番ＤＢ１９には、例えば、優先順位、品番、品名、価格、（広々、収納、お手入れ等の）ベネフィット、品種、及びオプション品の各項目を備える複数のデータが登録されている。例えば、品種において大便器を例に取ると、４種類の品番（従って、４種類の品名）のデータが記録されていて、夫々「１」乃至「４」の優先順位が付与されている。４種類の（品番／品名の）大便器は、夫々価格が異なっていると共に、「広々」、「収納」、「お手入れ」等のベネフィットについても、夫々相違している。他の品種（ここでは、１種類の手洗器のみを記載している）についても、大便器と同様である。
【００６７】
図５には、お薦めプラン選定処理３１において利用されるＤＢとして、品番別カラーチップＤＢ２９、品番別器具写真ＤＢ２５、及び設計基準ＤＢ２１が、また、プラン出力処理７９において利用されるＤＢとして、カラーテイストＤＢ２７が、夫々示されている。
【００６８】
品番別カラーチップＤＢ２９には、図示のように、例えば色番、及び色ファイルの各項目を備える複数のデータが登録されている。次に、品番別器具写真ＤＢ２５には、図示のように、例えば品番、及び画像ファイルの各項目を備える複数のデータが登録されている。次に、設計基準ＤＢ２１には、品番、空間、設置位置（短辺入口）、及び設置位置（長辺入口）の各項目を備える複数のデータが登録されている。設置位置（短辺入口）、及び設置位置（長辺入口）は、更に、単独、手洗器付き、手摺り付き等の項目を夫々含んでいる。
【００６９】
次に、カラーテイストＤＢ２７には、図示のように、例えば色、壁、床、天井、便器／手洗器、及び収納の各項目を備える複数のデータが登録されている。そして、色の項目には、基本テイストとして、例えばホワイト系、木目調、及びグレー系等が設定されており、壁、床、及び天井には、それら基本テイストに適合した色データ（例えばホワイト系であれば、ビアンコ、ホワイトグレー、木目調であれば、ピュアブラウンライト、ホワイトグレー等）が登録されている。
【００７０】
図６には、プラン出力処理７９において利用されるＤＢとして、品番別カラーチップＤＢ２９、品番別器具写真ＤＢ２５、器具別訴求ＤＢ８３、ＣＡＤパーツＤＢ８７、及び施工情報ＤＢ８５が、夫々示されている。器具別訴求ＤＢ８３には、図示のように、例えば品番、訴求事項内容、及び訴求画像ファイルの各項目を備える複数のデータが登録されている。次に、ＣＡＤパーツＤＢ８７には、図示のように、例えば品番、及びＣＡＤパーツ名の各項目を備える複数のデータが登録されている。そして、ＣＡＤパーツ名の項目は、更に、正面、平面、側面（左）、及び側面（右）等の項目を含んでいる。次に、施工情報ＤＢ８５には、図示のように、例えば品番、条件、内容、及びＣＡＤデータ等の各項目を備える複数のデータが登録されている。
【００７１】
図７、及び図８は、本発明の一実施形態に係る住宅設備デザインプランの提案システムが、顧客（ユーザ）の要求に適合すると想定され得るデザインプランの提案を行うに際しての処理手順を示す流れ図である。
【００７２】
図７、及び図８に示す処理手順では、図示のように、処理流れが２つに分かれている。
【００７３】
まず、該ユーザ宅におけるトイレ室内空間のサイズ情報、該空間におけるドア位置情報、該空間におけるベネフィット情報、及び該ユーザの家族構成情報を上記提案システムに入力するステップであるステップＳ１１１から一連の処理動作が開始される。
【００７４】
ステップＳ１１１で上記各情報が上記提案システムに入力されると、上記提案システムの内部において、上記入力されたベネフィットの総合点数が計算される。この計算処理においては、家族構成ＤＢ１１が参照され、（該ユーザによって）選択されたベネフィットが加算される。そして、該選択されたベネフィットに関し、重要度に応じた点数が計算されて（符号１３１で示す処理）、入力ベネフィット登録テーブル１３３に登録される。次に、お薦めプランテーブル１３５を参照しつつ、お薦めプラン選定処理３１が実行されると共に、（空間適合）基本プラン選定処理が実行される（ステップＳ１１２）。この基本プラン選定処理においては、基本プランＤＢ２３が参照され、該ユーザの入力した（トイレ室内）空間のサイズ情報と、該空間におけるドア位置情報とに適合する基本プランが基本プランＤＢ２３から抽出される。
【００７５】
基本プランＤＢ２３には、予め用意された多数の基本プランの仕様が登録されている。これら各基本プラン毎に、その仕様としてこれら各基本プランを構成する各商品の品番、空間サイズ、ドア位置、プラン番号（コード、又はＩＤ）の各々が該ユーザの要求に適合するかどうかがチェックされ、チェックの結果、適合すると判断された基本プランが全て選択されて、価格、及びベネフィットに係わる計算処理が行われる（ステップ１１３）。この処理では、上記選択された基本プランの各々について、基本プランＤＢ２３と、品番ＤＢ１９とが夫々参照されて、上記各々の基本プランが持つ価格と、ベネフィットの点数とが計算される。
【００７６】
ここで、品番ＤＢ１９について再度説明すると、品番ＤＢ１９には、全ての（デザイン）プランに使用可能な各商品について、（お薦め順ではなく）優先順位、品番、品名、価格、及びベネフィットの各項目毎の点数と、各品種別（Ｖ）（大便器、手洗器等）、オプション品、品番が登録されている。なお、優先順位、オプション品品番の説明については、ここでは省略する。上述した（基本プランが持つ価格と、ベネフィットの点数との）計算処理では、選択された各基本プランについて、基本プランＤＢ２３に登録されている商品の品番毎に、品番ＤＢ１９から、価格とベネフィットの点数とが読出されて、それらが合計されることで、各基本プランのトータル（総合）価格と、ベネフィットの各項目の総合点数とが計算される。
【００７７】
上記計算処理は、選択された上記全部の基本プランについて実行される。
【００７８】
次に、上記計算処理された基本プランについて、所謂条件判定処理が実行される。即ち、上記各基本プラン「Ａ」、「Ｂ」、「Ｃ」が、プラン松３３、プラン竹３５、プラン梅３７が夫々持っている条件を満足するかどうかチェックする（ステップＳ１１４）。条件判定処理を行った結果によっては、基本プラン選定処理が、例えば空間条件適合プラン選定処理に変更される場合もあり得る。上述した内容から明らかなように、基本プランＤＢ２３には、１つの空間条件について、「Ａ」、「Ｂ」、「Ｃ」の３種類のプランが登録されている。そこで、基本プランＤＢ２３の中から該ユーザ宅のトイレ室内空間のサイズ、及び該トイレ室内空間におけるドア位置とに適合した３つ（「Ａ」、「Ｂ」、「Ｃ」）の基本プランが読出されて、これら３つの基本プラン（「Ａ」、「Ｂ」、「Ｃ」）が、お薦めプランテーブル１３５に登録される。
【００７９】
次に、上述した基本プラン選定処理により選定された各（基本）プランに対して、グレードを与えるための所謂格付け処理が行われる。上述した「松」、「竹」、「梅」のグレード分けが格付け処理の一例として挙げられる。このグレード分けをするために、上述した方法で価格とベネフィットとが計算されて、合計点数が算出される。次に、上記計算結果（価格とベネフィットとの和）を利用して、各（基本）プラン「Ａ」、「Ｂ」、「Ｃ」について夫々「松」、「竹」、「梅」のグレードが付与される。
【００８０】
ここで、格付けの内容について説明すると、「松」については、予算額とは無関係にベネフィットが最大になることを重視したものであり、一方、「梅」については、価格（予算額）が最低になることを重視したものである。更に、「竹」については、価格（予算額）とベネフィットとのバランス（基本的調和）を重視したものである。
【００８１】
次に、各付け処理における処理手順の一例について説明すると、３つのお薦めプラン（つまり、上述した３つの基本プラン「Ａ」、「Ｂ」、「Ｃ」）のベネフィットと、該ユーザが入力したヘネフィット（要求ベネフィット）とが比較される。そして、該ユーザの要求ベネフィットが、「Ａ」、「Ｂ」、「Ｃ」の３つの（基本）プランの全てについて、完全に満たされているかどうかをチェックする
「松」については、予算×１１０%（予算オーバー）で、且つ、ベネフィット（の合計値）が最大であるという、これら２つの条件に近いものが、「竹」については、予算限度額に近くて、ベネフィット（の合計値）が最大であるという、これら２つの条件に近いものが、夫々選択されることになる。なお、「梅」については、予算額以内で、予算（価格）が最も安いものが選択され、価格が最低額でさえあれば、ベネフィットの評価は問わない（どうでも良い）。
【００８２】
まず、３つの（基本）プラン「Ａ」、「Ｂ」、「Ｃ」の各々において、予算額について判断を行って、予算額が低い順に優先順位が付与される。次に、３つの（基本）プラン「Ａ」、「Ｂ」、「Ｃ」の各々について、「松」、「竹」、「梅」となるか否かの判断が行われる。「梅」となるか否かは、価格が予算額以内で、且つ、要求ベネフィットを満足している度合（程度）をチェックすることによって判断され、「竹」となるか否かは、価格が予算限度額であるという条件と、ベネフィット最大という条件とに、どの程度近いか（どの程度適合しているか）をチェックすることによって判断される。更に、「松」となるか否かは、価格が予算限度額×１１０%で、且つ、ベネフィット最大という条件に、どの程度近いか（どの程度適合しているか）をチェックすることによって判断される。上述した「松」、「竹」、「梅」の判断については、どのような手法を採用しても良い。本実施形態では、上記判断は、該ユーザの要求する予算額と、該ユーザの要求するベネフィットと、各プラン「Ａ」、「Ｂ」、「Ｃ」の持っている予算額と、各（基本）プラン「Ａ」、「Ｂ」、「Ｃ」の持っているベネフィットとを総合的に考慮して、複数のお薦めプランに対し、或る格付けランクを与えることによって行われる。なお、上記判断が行われた結果として、複数の基本プラン「Ａ」、「Ｂ」、「Ｃ」について、同一ランク（「松」、「竹」、「梅」のどれか）が付与されることになったとしても差し支えない（上述したステップＳ１１４）。
【００８３】
該ユーザの要求ベネフィットが、「Ａ」、「Ｂ」、「Ｃ」の３つの（基本）プランの全てについて、完全に満たされている場合には（ステップＳ１１４でＹＥＳ）、「梅」は、予算額以内で、価格が最低額でさえあれば、ベネフィットの評価は問わないものが、「竹」は、予算限度額に近くて、ベネフィットが最大のものが、「松」は、予算×１１０%で、且つ、ベネフィットが最大のものが夫々選択される（ステップＳ１１５）。一方、該ユーザの要求ベネフィットが、「Ａ」、「Ｂ」、「Ｃ」の３つの（基本）プランの全てについて、完全に満たされている訳ではない場合には（ステップＳ１１４でＮＯ）、「梅」は、予算額以内で、ベネフィットが最大のものが、「竹」は、予算額以内で、価格が最低額でさえあれば、ベネフィットの評価は問わないものが、「松」は、予算×１１０%で、且つ、ベネフィットが最大のものが夫々選択される（ステップＳ１１６）。
【００８４】
上述したステップＳ１１５、Ｓ１１６における選択結果の概略的な特徴は、端末の表示画面を通じて該ユーザに提示される。上記の概略的な特徴は、ユーザが理解し易いように、例えば「松」については「豪華版」、「竹」については「バランスが取れている」。「梅」については「経済的（エコノミー）」等の短く分かり易い表現によって表示される。上記３つの（基本）プラン「Ａ」、「Ｂ」、「Ｃ」が、「松」、「竹」、「梅」にグレード分けされると、それらのグレードがお薦めプランテーブル１３５に登録される。
【００８５】
次に、上記３つの各（基本）プラン（「Ａ」、「Ｂ」、「Ｃ」）について、空間（器具配置）写真作成処理が行われる（ステップＳ１１７）。この空間（器具配置）写真作成処理においては、お薦めプランテーブル１３５と、品番別器具写真ＤＢ２５と、品番別カラーチップＤＢ２９と、設計基準ＤＢ２１と、カラーテイストＤＢ２７とが参照されて、空間（器具配置）写真が自動的に作成される。
【００８６】
ここで、上記各ＤＢについて、更に説明すると、品番別器具写真ＤＢ２５には、各品番毎に、該商品の画像ファイルが対応付けられており、品番別カラーチップＤＢ２９には、各品番毎に、色番別の組合せ毎にカラーチップ（色ファイル）が対応付けられている。この色ファイルには、上記空間（器具配置）写真作成に際して使用される色データ（色チップファイル）や、色画像データ等が登録されている。カラーテイストＤＢ２７には、複数の（カラー）テイスト毎に、空間を形成する各機器や各部品の色番別が登録されている。例えば、ビアンコの壁材については、「ビアンコ」を示す色番号で登録されている。また、便器及び手洗器については、ホワイト♯ＮＣ１１、カラーの品番（色番号）、ホワイトグレー等の言葉や色番号によって登録されている。また、カラーテイストＤＢ２７には、１つの基礎となる（カラー）テイストが、デフォルトで１個決められている。これらのデータを利用して写真の合成を行うことによって、上記空間写真を作っても良いし、或いは、３次元グラフィックのプログラムを使って、部屋（トイレ室内空間）全体を三次元モデルとして設計することも可能である。いずれにしても、上記空間写真の作成処理には、種々の方法が考えられる。なお、設計基準ＤＢ２１には、三次元座標データが登録されている。
【００８７】
次に、３つの（基本）プラン（「Ａ」、「Ｂ」、「Ｃ」）に付随する写真画像が、上述したお薦めプラン提示画面２００に表示される（ステップＳ１１８）。上記写真画像の表示に際しては、それら（基本）プランに係わるベネフィットや、価格も一緒に表示される。次に、器具追加・変更、カラーテイスト変更入力／処理が行われる（ステップＳ１１９）。この処理では、必要に応じて器具追加変更画面４００を使用して、上述した「カラーテイスト変更画面３００」も、器具追加、変更画面と共に表示することが可能である。取り敢えず、デフォルトで基本の写真画面を作るが、お薦めプラン提示画面２００における器具の器具番号は、変更後の器具番号等に入れ替えられることになる。その際、器具追加変更画面４００に表示される器具の順番は、品番ＤＢ１９中の優先順位に基づいて、同一品種に属する複数の製品が該優先順位に従って並ぶことになる。なお、該ユーザに選択して貰いたい品物を、優先順位の上位に置くことも可能である。
【００８８】
ステップＳ１１９に示した処理において、品物や器具の変更、追加が行われた場合には、それらの価格、及びベネフィットに係わる計算処理が、変更後のプランに対しても同様に繰り返されて、価格やベネフィットが計算し直されることになる。但し、上述した格付け処理については、変更が行われないものとする。更に、カラーテイスト変更画面３００で、該ユーザが、基本（カラー）テイスト以外の任意のカラーテイストを選択することも可能である。そして、器具の追加変更及びカラーテイストの変更が確定すると、上述した空間（器具配置）写真作成処理（ステップＳ１１７）が、再度、変更後の内容についても行われて、変更後の空間の写真画像に差し替えられる。ステップＳ１１９では、品番別器具写真ＤＢ２５、品番別カラーチップＤＢ２９、及び設計基準ＤＢ２１が参照される。
【００８９】
以上で全てのカラーテイストから設置すべき器具までの選択が確定したならば、お薦めプラン表示画面２００で、該ユーザがＯＫボタン３９をクリックすると、プランシート出力処理が行われる（ステップＳ１２０）。このプランシート出力処理では、品番別器具写真ＤＢ２５、器具別訴求ＤＢ８３、ＣＡＤパーツＤＢ８７、品番別カラーチップＤＢ２９、施工情報ＤＢ８５、カラーティストＤＢ２７、及び設計基準ＤＢ２１が参照されて、４種類のプランシートが「松」、「竹」、「梅」の各プラン毎に作成される。
【００９０】
器具別訴求ＤＢ８３には、各品番毎に、訴求（事項）内容を示した文書や、訴求事項説明のための画像ファイル等が登録されている。ＣＡＤパーツ（設計図面）ＤＢ８７には、各品番毎に、正面図、平面図、左側面図、右側面図、及び夫々のＣＡＤパーツが登録されている。施工情報ＤＢ８５には、各品番毎に、その品物の取付施工に必要な情報の説明文、或いは、ＣＡＤ（図面）データ、施工注意事項、及び施工文書が登録されている。
【００９１】
プランシート出力処理において、設計（ＣＡＤ）図面シートには、各プラン毎の品番リストとか、各品番についてのＣＡＤ図面が組合されて空間の正面図、平面図、側面図等の図面が作成されたり、更に施工情報ＤＢ８５から読出された各品物の施工情報が一緒にプリントアウトされる。このようにして、ＣＡＤ図面シートが作成される。
【００９２】
プラン説明シートの作成に際しては、各プランの商品について、上述した空間（器具配置）写真作成処理（ステップＳ１１７）と同一処理が行われることによって、上記空間の写真が、該ユーザが選択したカラーテイストで作成されると共に、器具別訴求ＤＢ８３から読出された訴求事項が印刷される。
【００９３】
カラーテイスト対比シートの作成に際しては、先に作成された選択されたカラーテイストの空間（器具配置）写真の他に、選択されていないカラーテイストで空間（器具配置）写真が作成され、複数のカラーテイストの写真が並べられて印刷される。
【００９４】
オプションリストシートの作成に際しては、各プランで使われている品番について、品番ＤＢ１９から読出されたオプション品の品番、そのオプション品の名称、価格から出てくるベネフィット情報が、一覧にして表示される。
【００９５】
次に、オプション品追加処理が行われる（ステップＳ１２１）。このオプション品追加処理では、品番ＤＢ１９に登録されているオプション品デ−タが、シートの印刷に先立って、表示画面に表示される。オプション品が表示された場合には、それらのオプション品を追加することができる。即ち、追加されるべきプランテーブルに、該オプション品が追加されて、先に説明したプランシート出力処理（ステップＳ１２０）と同一処理で、該オプション品が追加された写真も作成される。
【００９６】
このようにして、複数の（基本）プランが提示されて、カラーテイストの対比や、オプション品の提案も行うことができるし、元々曖昧な要求だった幾つかのプランも提示することができる。
【００９７】
なお、本発明の一実施形態では、住宅設備として個人住宅のトイレ室を例に取って説明したが、本発明に係る住宅設備は、必ずしも個人住宅のトイレ室に限定されるものではなく、例えばオフィスビル等のトイレ室や、トイレ室以外の住宅設備（例えば浴室等）をも当然に含むものである。
【００９８】
以上、本発明の好適な実施形態を説明したが、これは本発明の説明のための例示であって、本発明の範囲をこの実施形態にのみ限定する趣旨ではない。本発明は、他の種々の形態でも実施することが可能である。
【産業上の利用可能性】
【００９９】
本発明の活用例としては、トイレ室以外の住宅設備（浴室や台所等）の設計施工に際し、施工業者側から顧客（ユーザ）に対して、それらのデザインプランを提案する場合に有効である。
【図面の簡単な説明】
【０１００】
【図１】本発明の一実施形態に係る住宅設備デザインプランの提案システムにおける顧客（ユーザ）の要求を入力する画面の遷移を示す説明図。
【図２】本発明の一実施形態に係る住宅設備デザインプランの提案システムにおける顧客（ユーザ）の要求を入力する画面の遷移を示す説明図。
【図３】本発明の一実施形態に係る住宅設備デザインプランの提案システムにおける顧客（ユーザ）の要求を入力する画面の遷移を示す説明図。
【図４】お薦めプラン選定処理において利用される各ＤＢに夫々記録されているデータを示す説明図。
【図５】お薦めプラン選定処理において利用される各ＤＢに夫々記録されているデータ、及びプラン出力処理において利用される各ＤＢに夫々記録されているデータを示す説明図。
【図６】プラン出力処理において利用される各ＤＢに夫々記録されているデータを示す説明図。
【図７】本発明の一実施形態に係る住宅設備デザインプランの提案システムが、顧客（ユーザ）の要求に適合すると想定され得るデザインプランの提案を行うに際しての処理手順を示す流れ図。
【図８】本発明の一実施形態に係る住宅設備デザインプランの提案システムが、顧客（ユーザ）の要求に適合すると想定され得るデザインプランの提案を行うに際しての処理手順を示す流れ図。
【符号の説明】
【０１０１】
１、３、５、７、９、４７、４９、５１  （表示）領域
１１  家族構成ＤＢ
１３、３９、５３、７３  ＯＫボタン
１５、４１、５５、７５  戻るボタン
１７、４３、５７、７７  取消ボタン
１９  品番ＤＢ
２１  設計基準ＤＢ
２３  基本プランＤＢ
２５  品番別器具写真ＤＢ
２７  カラーティストＤＢ
２９  品番別カラーチップＤＢ
３１  お薦めプラン選定処理
３３  プラン松
３５  プラン竹
３７  プラン梅
４５  大便器選択領域
６１  第１カラーテイスト画面
６３  第２カラーテイスト画面
６５  第３カラーテイスト画面
６７  第４カラーテイスト画面
６９  第５カラーテイスト画面
７１  第６カラーテイスト画面
７９  プラン出力処理
８３  器具別訴求ＤＢ
８５  施工情報ＤＢ
８７  ＣＡＤパーツＤＢ
８９  オプション品リスト一覧シート
９１  カラーテイスト対比シート
９３  デザインプラン説明シート
９５  （個々の商品の）品番リストと（トイレ室）空間の設計図とを表示したシート
１００  部屋情報入力画面
１３５  お薦めプランテーブル
２００  お薦めプラン提示画面
３００  カラーテイスト変更画面
４００  器具追加変更画面
【図１】
2005038170.tif 000003
【図２】
2005038170.tif 000004
【図３】
2005038170.tif 000005
【図４】
2005038170.tif 000006
【図５】
2005038170.tif 000007
【図６】
2005038170.tif 000008
【図７】
2005038170.tif 000009
【図８】
2005038170.tif 000010